(57)【要約】【課題】容易にがたつくことなく押圧部材を回転自在に設けることを可能としてコストの高騰を防止できるシーソーボタン及び当該シーソーボタンを備えた電子機器を提供する。【解決手段】ＡＶ機器２はシーソーボタン１を備えている。シーソーボタン１は機器本体３の前面パネル３ａに設けられて押圧操作される押圧部材１９と押圧部材１９の両端部が重なる位置に設けられた一対のスイッチ２０と押圧部材１９の長手方向の中央部から凸となる支点突起２９と前面パネル３ａとの間に支点突起２９を挟む挟持部材３０と弾性変形自在でかつ前記挟持部材３０を前面パネル３ａに向って押圧する弾性復元力を生じる接点ゴム１３及び弾性アーム３１とを備えている。【選択図】図３
2010211989.tif 000002
【特許請求の範囲】
【請求項１】
機器本体の前面パネルに設けられて押圧操作される押圧部材と、
前記機器本体内に設けられかつ前記押圧部材の両端部が重なる位置に設けられた一対のスイッチと、を備えて、前記押圧部材の長手方向のいずれかの端部が押圧されると前記一対のスイッチのいずれかの接点が閉じるシーソーボタンにおいて、
前記押圧部材の長手方向の中央部から凸となる支点突起と、
前記前面パネルとの間に前記支点突起を挟む挟持部材と、
弾性変形自在でかつ前記挟持部材を前記前面パネルに向って押圧する弾性復元力を生じる弾性支持部材と、
を備えたことを特徴とするシーソーボタン。
【請求項２】
前記前面パネルには、押圧操作される他の押圧部材を移動自在に支持するホルダが取り付けられており、
前記弾性支持部材として、一端が前記ホルダに連なりかつ他端が前記挟持部材に連なった弾性アームが用いられていることを特徴とする請求項１記載のシーソーボタン。
【請求項３】
前記弾性支持部材として、ゴムで構成されたゴム部材が用いられていることを特徴とする請求項１又は請求項２記載のシーソーボタン。
【請求項４】
前記ゴム部材が、前記スイッチを構成する接点ゴムであることを特徴とする請求項３記載のシーソーボタン。
【請求項５】
機器本体と、
前記機器本体の前面パネルに設けられて押圧操作される押圧部材を有したシーソーボタンと、を備えた電子機器において、
前記シーソーボタンとして、請求項１乃至請求項４のうちいずれか一項に記載のシーソーボタンを備えたことを特徴とする電子機器。
【発明の詳細な説明】
【技術分野】
【０００１】
本発明は、例えば、オーディオ装置などの電子機器に設けられて押圧操作されるシーソーボタン及び当該シーソーボタンを備えた電子機器に関する。
【背景技術】
【０００２】
例えば、移動体としての自動車のインストルメントパネル（以下インパネと呼ぶ）には、例えば、Digital Versatile Disc（以下ＤＶＤと呼ぶ）プレーヤやＴＶチューナなどを備えたカーオーディオ装置が搭載される。この種のカーオーディオ装置は、箱状に形成されかつ前述したプレーヤやチューナを収容する機器本体と、この機器本体の前面に設けられかつ前述したプレーヤやチューナなどからの情報を表示する表示パネルと、前述した前面パネルに設けられた操作部とを備えている。
【０００３】
操作部は、前述したＤＶＤプレーヤやＴＶチューナを動作させるためや動作状況を変更するために用いられる。操作部は、押圧ボタンを複数備えている。押圧ボタンの中にはシーソー動作を行うシーソーボタンも含まれる（例えば、特許文献１、特許文献２参照）。シーソーボタンは、前面パネルに設けられて両端部が押圧操作される押圧部材と、前記押圧部材の長手方向の中央部を中心として当該押圧部材を回転自在に支持する支持部と、前記押圧部材の長手方向の両端部が重ねられるとともに前記機器本体内に設けられた印刷配線板に実装されたスイッチと、を備えている。
【０００４】
支持部は、押圧部材の長手方向の中央部から当該押圧部材の幅方向に沿って凸の円柱状の支持突起と、前記前面パネルと他の押圧ボタンを前記前面パネルの表面に対して直交する方向にスライド自在に支持して当該前面パネルの背面に取り付けられたホルダに設けられた挟持部とを備えている。前面パネルに設けられた挟持部と、ホルダに設けられた挟持部は、どちらも変形することなく互いの間に前記支持突起を挟んで、当該支持突起を中心として回転自在に押圧部材を支持する。
【０００５】
前記挟持部は、前記前面パネルと前記ホルダとのそれぞれと一体に形成されている。これらの前面パネル及びホルダは、それぞれ、ＡＢＳ樹脂などの硬質な合成樹脂で構成されている。このために、勿論、挟持部も、前述したＡＢＳ樹脂などの硬質な合成樹脂で構成されている。さらに、前述した特許文献１及び特許文献２に示されたシーソーボタンでは、前述した挟持部が、前記前面パネルとこの前面パネルの裏側に配置された印刷配線板により構成されている。印刷配線板の基板も勿論硬質な合成樹脂で構成されている。
【先行技術文献】
【特許文献】
【０００６】
【特許文献１】特開２０００−３４００７１号公報
【特許文献２】特開２００４−３２７３６５号公報
【発明の概要】
【発明が解決しようとする課題】
【０００７】
前述した従来のシーソーボタンは、ＡＢＳ樹脂などの硬質な合成樹脂などで構成された挟持部間に変形することなく支持突起を挟んで、押圧部材を回転自在に支持するので、この押圧部材が前面パネルに対してがたつくことを防止するため即ち挟持部と支持突起との間に隙間が発生することを防止するためには、前述した前面パネル及びホルダと一体に挟持部を成型する金型に微小な修正を繰り返し行う必要が生じていた。このために、シーソーボタンを製造するために必要とされるリードタイムや所要工数が増加して、当該シーソーボタンのコストが高騰する傾向であった。また、挟持部と支持突起との寸法のばらつきが発生すると、シーソーボタンががたついたり、動きにくくなることもあった。
【０００８】
上記した問題点を鑑みてなされた本発明の目的の一例は、容易にがたつくことなく押圧部材を回転自在に設けることを可能として、コストの高騰を防止できるシーソーボタン及び当該シーソーボタンを備えた電子機器を提供することにある。
【課題を解決するための手段】
【０００９】
前記課題を解決し目的を達成するために、請求項１に記載の本発明のシーソーボタンは、機器本体の前面パネルに設けられて押圧操作される押圧部材と、前記機器本体内に設けられかつ前記押圧部材の両端部が重なる位置に設けられた一対のスイッチと、を備えて、前記押圧部材の長手方向のいずれかの端部が押圧されると前記一対のスイッチのいずれかの接点が閉じるシーソーボタンにおいて、前記押圧部材の長手方向の中央部から凸となる支点突起と、前記前面パネルとの間に前記支点突起を挟む挟持部材と、弾性変形自在でかつ前記挟持部材を前記前面パネルに向って押圧する弾性復元力を生じる弾性支持部材と、を備えたことを特徴としている。
【図面の簡単な説明】
【００１０】
【図１】本発明の一実施例にかかるシーソーボタンを備えたカーオーディオの分解斜視図である。
【図２】図１に示されたカーオーディオを背面側からみた分解斜視図である。
【図３】図１に示されたシーソーボタンの断面図である。
【図４】図３に示されたシーソーボタンのスイッチの断面図である。
【図５】図３に示されたシーソーボタンの変形例の断面図である。
【発明を実施するための形態】
【００１１】
この発明のシーソーボタンは、押圧部材の支点突起を前面パネルとの間に挟むＡＢＳ樹脂などの材料で構成された挟持部材に対して当該前面パネルに向って押圧する弾性復元力を生じる弾性支持部材を設けている。こうすることで、前面パネル及び挟持部材との寸法によっては、これらと支点突起との間にガタが生じたり、前面パネルと挟持部材との間の間隔が支点突起よりも小さな場合であっても、弾性支持部材の変形量が変化することで、前面パネルと挟持部材との間にがたつくことなく支点突起を挟むことができる。このために、前面パネル及び挟持部材との寸法精度が低い場合であっても、これらを成型する金型などを微調整する必要が生じない。よって、シーソーボタンを製造するために必要とされるリードタイムや所要工数が増加することを防止でき、当該シーソーボタンのコストが高騰することを防止することができる。
【００１２】
また、この発明のシーソーボタンは、弾性支持部材として、他の押圧部材を支持するホルダと挟持部材とに連なった弾性アームを用いてもよい。この場合、弾性支持部材としての弾性アームを設けても、部品点数が増加することを防止でき、コストの高騰をより確実に防止することができる。
【００１３】
さらに、この発明のシーソーボタンは、弾性支持部材として、ゴム部材を用いてもよい。この場合、挟持部材を前面パネルに向かって押圧する弾性復元力を確実に発生させた状態で支点突起を支持することができる。
【００１４】
また、ゴム部材が、スイッチを構成する接点ゴムであってもよい。この場合、弾性支持部材を用いても、部品点数が増加することを確実に防止することができる。
【００１５】
本実施形態では、前述したシーソーボタンを備えた電子機器としても良い。この場合、前面パネル及び挟持部材との寸法精度が低い場合であっても、これらを成型する金型などを微調整する必要が生じない。よって、シーソーボタンを製造するために必要とされるリードタイムや所要工数が増加することを防止でき、当該シーソーボタンのコストが高騰することを防止することができる。
【実施例】
【００１６】
以下、本発明の一実施例にかかるシーソーボタンを、図１ないし図４を参照して説明する。シーソーボタン１は、例えば、図１に示す電子機器としてのＡＶ機器２に用いられる。ＡＶ機器２は、例えば、移動体としての自動車のインストルメントパネル（以下インパネと呼ぶ）に装着される。なお、以下、後述する前面パネル３ａの表面に対して直交する方向を奥行き方向Ｙといい、前面パネル３ａの表面と後述する機器本体３に出し入れされるＤＶＤの表面との双方とに平行な方向を幅方向Ｘといい、これら奥行き方向Ｙと幅方向Ｘとの双方と直交する方向を厚み方向Ｚという。
【００１７】
ＡＶ機器２は、図１に示すように、機器本体３と、図示しない再生装置としてのＤＶＤ（Digital Versatile Disc）プレーヤと、図示しないテレビ放送を受信するＴＶチューナと、図示しない表示部と、操作部８とを備えている。
【００１８】
機器本体３は、箱状に形成されかつ前述したインパネに取り付けられる。機器本体３の図１中手前側に位置する前面パネル３ａには、ＤＶＤ用挿入口９と、操作部用孔１１（図２に示す）とが開口している。なお、前面パネル３ａは、機器本体３がインパネに取り付けられると、外部に露出するとともに乗員（使用者ともいう）に相対する面である。前面パネル３ａは、ＡＢＳ樹脂などの硬質（弾性変形をほとんどしない）な合成樹脂（熱可塑性樹脂）で構成されている。
【００１９】
ＤＶＤ用挿入口９は、内側にＤＶＤを通して、該ＤＶＤを機器本体３即ちＤＶＤプレーヤに出し入れする。操作部用孔１１は、前記前面パネル３ａを貫通している。操作部用孔１１は、その平面形状が矩形状に形成され、かつ操作部８のシーソーボタン１の押圧部材１９を収容する。なお、ＤＶＤ用挿入口９の長手方向は、幅方向Ｘと平行に配置されている。
【００２０】
また、機器本体３は、図１及び図２に示すように、前記前面パネル３ａと平行な印刷配線板１０と、ゴム部材としての接点ゴム１３と、ホルダ１４と、を備えている。印刷配線板１０は、絶縁性の基板１７と、この基板１７の表面上に形成された配線パターンとを備えている。基板１７は、図示しない各種の電子部品などが実装されている。配線パターンは、銅などの導電性の金属で構成されている。配線パターンは、箔状に形成されて、基板１７の表面に貼り付けられている。配線パターンは、前述した電子部品同士を予め定められたパターンにしたがって電気的に接続している。
【００２１】
接点ゴム１３は、ゴムなどの絶縁性と弾性との双方を有する合成樹脂（即ち、弾性変形自在な合成樹脂）で構成され、かつ平板状に形成されている。接点ゴム１３は、印刷配線板１０の基板１７の前面パネル３ａに相対する表面に重ねられている。接点ゴム１３は、印刷配線板１０の基板１７の表面に重ねられて、当該表面に密に接触する。
【００２２】
ホルダ１４は、前記前面パネル３ａの背面側に配置されかつ当該前面パネル３ａと印刷配線板１０との間に設けられている。ホルダ１４は、ＡＢＳ樹脂などの硬質（弾性変形をほとんどしない）な合成樹脂（熱可塑性樹脂）で構成されかつ平板状に形成されている。ホルダ１４には、複数の部材収容孔１８が貫通している。
【００２３】
ＤＶＤプレーヤは、機器本体３に挿入されたＤＶＤの情報を読み出して、映像及び音声として出力する。ＴＶチューナは、テレビ放送を受信して、映像及び音声として出力する。これらのＤＶＤプレーヤ及びＴＶチューナは、操作部８に設けられた後述するシーソーボタン１等を使用者が押圧することによって動作する。
【００２４】
表示部は、前述した前面パネル３ａから回動自在に設けられかつ液晶ディスプレイなどからなる情報を表示する表示装置を備えている。表示部は、表示装置にＤＶＤプレーヤ及びＴＶチューナからの映像やこれらの映像のプログラム名などの情報を表示する。
【００２５】
操作部８は、複数のシーソーボタン１と、複数の押しボタン３３とを備えている。シーソーボタン１は、図示例では、二つ設けられ、幅方向Ｘに沿って直線上に並べられて配置されている。
【００２６】
シーソーボタン１は、図２及び図３に示すように、ＡＶ機器２の機器本体３の前面パネル３ａを貫通した平面形が矩形状の操作部用孔１１内に収容されて設けられるとともに使用者などに押圧操作される押圧部材１９と、一対のスイッチ２０と、支持部２１と、弾性支持部２２とを備えている。
【００２７】
押圧部材１９は、表面が機器本体３の前面パネル３ａと平行な状態で前記操作部用孔１１内に収容される直方体状に形成されている。押圧部材１９の長手方向は、機器本体３の幅方向Ｘに沿っている。前記前面パネル３ａから露出する表面には、シーソーボタン１の機能などを示す印刷が形成されている。
【００２８】
また、押圧部材１９の長手方向の両端部には、図２に示すように、それぞれ、柱状部２３が設けられている。柱状部２３は、前面パネル３ａから露出する押圧部材１９の裏側長手方向の両端部から機器本体３の奥行き方向Ｙに沿って、機器本体３の奥に向かって立設した柱状に形成されている。即ち、柱状部２３は、押圧部材１９から機器本体３の奥即ち後述するスイッチ２０に向かって凸に形成されている。
【００２９】
一対のスイッチ２０は、機器本体３内に設けられ、かつ、操作部用孔１１内に収容された押圧部材１９の柱状部２３即ち当該押圧部材１９の両端部と奥行き方向Ｙ（前面パネル３ａに対して直交する方向）に沿って重なる位置に設けられている。一対のスイッチ２０は、それぞれ、図４に示すように、印刷配線板１０の基板１７の前述した表面に形成された一対の接点２４と、接点ゴム１３に設けられた収容凹２５と、立設筒部２６と、平行板部２７とを備えている。即ち、接点ゴム１３の一部は、スイッチ２０を構成している。
【００３０】
一対の接点２４は、それぞれ、銅などの導電性の金属で構成され、かつ互いに間隔をあけて配置されている。一対の接点２４は、それぞれ、配線パターンに接続している。収容凹２５は、接点ゴム１３に設けた凹みであり、一対の接点２４を取り囲んで、当該一対の接点２４を収容している。立設筒部２６は、筒状に形成されかつ収容凹２５の内縁から前面パネル３ａ即ち押圧部材１９裏側の両端部に設けられた柱状部２３に向って立設している。立設筒部２６は、押圧部材１９裏側に設けられた柱状部２３に向うにしたがって徐々に小径となる外観が接頭円錐状に形成されている。平行板部２７は、立設筒部２６の接点ゴム１３から離れた側の先端を塞いだ平板状に形成されている。平行板部２７は、印刷配線板１０の基板１７と平行に配置されている。平行板部２７の一対の接点２４と相対する面には、立設筒部２６などが弾性変形していない中立状態で一対の接点２４と間隔をあける導体で構成された導電膜２８が設けられている。
【００３１】
前述した構成のスイッチ２０は、押圧部材１９裏側の柱状部２３により平行板部２７が押圧されると、導電膜２８が一対の接点２４の双方に密に接触して、これらの接点２４を互いに導通させる。スイッチ２０は、押圧部材１９の柱状部２３により押圧されないと、立設筒部２６の弾性復元力により、導電膜２８が一対の接点２４から間隔をあけて、これらの接点２４を導通させない。
【００３２】
スイッチ２０は、押圧部材１９の柱状部２３即ち端部によって平行板部２７が所定の距離押圧されることで、導電膜２８が一対の接点２４同士を導通させて、オンとなる。
【００３３】
支持部２１は、一対の支点突起２９と、一対の挟持部材３０とを備えている。支点突起２９は、押圧部材１９の長手方向の中央部から当該押圧部材１９の幅方向即ち厚み方向Ｚに沿って凸の円柱状に形成されている。
【００３４】
挟持部材３０は、後述する弾性アーム３１を介してホルダ１４と一体に形成されている。即ち、挟持部材３０は、ホルダ１４と同じ硬質な合成樹脂で構成されている。挟持部材３０は、長手方向が奥行き方向Ｙと平行に配置された棒状に形成されている。挟持部材３０は、前面パネル３ａの操作部用孔１１の内縁との間に支点突起２９を挟みこむ。支持部２１は、挟持部材３０が支点突起２９を前面パネル３ａの操作部用孔１１の内縁との間に挟みこむことで、支点突起２９即ち押圧部材１９の長手方向の中央部を中心として、当該押圧部材１９を回転自在に支持する。
【００３５】
弾性支持部２２は、一対の弾性支持部材としての弾性アーム３１と、挟持部材３０に設けられた突起３２と、前述した接点ゴム１３とで構成されている。弾性アーム３１は、帯板状に形成され、かつ一端がホルダ１４に連なりかつ他端が挟持部材３０に連なっている。図示例では弾性アーム３１は、ホルダ１４及び挟持部材３０と一体に形成されている。このために、弾性アーム３１は、ホルダ１４及び挟持部材３０と同じ硬質な合成樹脂で構成されている。しかしながら、弾性アーム３１は、ホルダ１４及び挟持部材３０よりも遥かに厚みが薄く形成されて、弾性変形自在となっている。弾性アーム３１は、印刷配線板１０に接点ゴム１３が重ねられて、当該印刷配線板１０とホルダ１４と押圧部材１９と前面パネル３ａとが互いに組みつけられて、挟持部材３０が支点突起２９に接触すると、挟持部材３０が印刷配線板１０に向う方向に弾性変形して、支点突起２９を前面パネル３ａに向って押圧する弾性復元力を生じる。
【００３６】
突起３２は、挟持部材３０の接点ゴム１３に重なる端面から凸の球面状に形成されている。突起３２は、印刷配線板１０に接点ゴム１３が重ねられて、当該印刷配線板１０とホルダ１４と押圧部材１９と前面パネル３ａとが互いに組みつけられて、挟持部材３０が支点突起２９に接触すると、接点ゴム１３を印刷配線板１０に向って押圧して、当該接点ゴム１３内に侵入する。このとき、勿論、接点ゴム１３は、支点突起２９を前面パネル３ａに向って押圧する弾性復元力を生じる。このために、接点ゴム１３は、特許請求の範囲に記載された弾性支持部材をなしている。こうして、弾性支持部２２は、弾性アーム３１及び接点ゴム１３が、前面パネル３ａとの間に支点突起２９を挟んだ挟持部材３０を前面パネル３ａに向って押圧する弾性復元力を生じる。
【００３７】
前述した構成のシーソーボタン１は、図３に示すように、押圧部材１９の長手方向が前面パネル３ａの表面と平行に操作部用孔１１から露出した状態で、押圧部材１９が機器本体３に取り付けられる。このとき、支点突起２９が前面パネル３ａと挟持部材３０との間に挟まれ、弾性アーム３１及び接点ゴム１３の弾性復元力により挟持部材３０が前面パネル３ａに向って押圧されている。そして、一対のスイッチ２０の双方がオフとなっている。
【００３８】
そして、シーソーボタン１は、例えば、押圧部材１９の長手方向の一端部が押圧されると、支点突起２９を中心として押圧部材１９が回転して、当該一端部に設けられた柱状部２３がスイッチ２０の平行板部２７を印刷配線板１０に向って押圧する。そして、当該一端部に設けられたスイッチ２０の接点２４同士が導電膜２８により電気的に接続されて当該スイッチ２０がオンとなり、他端部に設けられたスイッチ２０の接点２４同士が電気的に絶縁された状態に保たれて当該スイッチ２０がオフのままとなる。
【００３９】
こうして、前述した構成のシーソーボタン１は、一対のスイッチ２０のうちのいずれか一方をオンとすることで、前述したＤＶＤプレーヤ、ＴＶチューナなどを操作するための各種の信号を出力する。
【００４０】
押しボタン３３は、図示例では、シーソーボタン１の上方に七つ設けられ、幅方向Ｘに沿って直線上に並べられて配置されている。
【００４１】
押しボタン３３は、図２及び図３に示すように、ＡＶ機器２の機器本体３の前面パネル３ａを貫通した平面形が矩形状の操作部用孔１１内に収容されて設けられるとともに使用者などに押圧操作される他の押圧部材としての第２押圧部材３４と、前述したスイッチ２０と構成が等しいスイッチ４０と、ホルダ部材３５とを備えている。
【００４２】
第２押圧部材３４は、操作部用孔１１及びホルダ１４の部材収容孔１８内に通されて、当該ホルダ１４に奥行き方向Ｙに沿ってスライド自在に支持されている。第２押圧部材３４の前面パネル３ａから露出する表面には、押しボタン３３の機能などを示す印刷が形成されている。
【００４３】
スイッチ４０は、前記第２押圧部材と奥行き方向Ｙに重なる位置に配置されかつ印刷配線板１０に実装されている。スイッチ４０は、第２押圧部材３４から押圧されるとオンとなり、第２押圧部材３４から押圧されないとオフとなる。また、スイッチ４０は、第２押圧部材３４を前面パネル３ａから突出する方向に付勢する。ホルダ部材３５は、筒状に形成されており、第２押圧部材３４のホルダ１４の部材収容孔１８内に通された端部に嵌合して当該第２押圧部材３４に取り付けられる。ホルダ部材３５は、第２押圧部材３４がホルダ１４から脱落することを防止する。
【００４４】
前述した押しボタン３３は、第２押圧部材３４の長手方向が前面パネル３ａの表面と平行に操作部用孔１１から露出した状態で、第２押圧部材３４が機器本体３に取り付けられる。このとき、スイッチ４０により第２押圧部材３４が前面パネル３ａから突出した状態に保たれているとともに、当該スイッチ４０がオフとなっている。
【００４５】
そして、押しボタン３３は、奥行き方向Ｙに沿って第２押圧部材３４が押圧されて、当該第２押圧部材３４が所定の距離、操作部用孔１１内に没すると、前述したスイッチ４０がオンとなる。
【００４６】
こうして、前述した構成の押しボタン３３は、スイッチ４０がオン・オフされることで、前述したＤＶＤプレーヤ、ＴＶチューナなどを操作するための各種の信号を出力する。
【００４７】
本実施例によれば、押圧部材１９の支点突起２９を、前面パネル３ａと挟持部材３０との間に挟むとともに、当該前面パネル３ａに向って前記挟持部材３０を押圧する弾性復元力を生じる弾性支持部材としての弾性アーム３１及び接点ゴム１３を設けている。このために、前面パネル３ａ及び挟持部材３０との寸法によっては、これらと支点突起２９との間にガタが生じたり、前面パネル３ａと挟持部材３０との間の間隔が支点突起２９よりも小さな場合であっても、弾性アーム３１及び接点ゴム１３の変形量が変化することで、前面パネル３ａと挟持部材３０との間にがたつくことなく支点突起２９を挟んで支持することができる。このために、前面パネル３ａ及び挟持部材３０との寸法精度が低い場合であっても、これらを成型する金型などを微調整する必要が生じない。よって、シーソーボタン１を製造するために必要とされるリードタイムや所要工数が増加することを防止でき、当該シーソーボタン１のコストが高騰することを防止することができる。
【００４８】
また、シーソーボタン１は、弾性支持部材として、ホルダ１４及び挟持部材３０と一体の弾性アーム３１を用いている。このために、部品点数が増加することを防止でき、コストの高騰をより確実に防止することができる。
【００４９】
さらに、シーソーボタン１は、弾性支持部材として、接点ゴム１３を用いている。このために、挟持部材３０を前面パネル３ａに向かって押圧する弾性復元力を確実に発生させた状態で支点突起２９を支持することができる。さらに、接点ゴム１３がスイッチ２０を構成する。このために、部品点数が増加することを確実に防止することができる。
【００５０】
電子機器としてのＡＶ機器２は、前述したシーソーボタン１を備えている。このために、シーソーボタン１を製造するために必要とされるリードタイムや所要工数が増加することを防止でき、コストが高騰することを防止することができる。
【００５１】
前述した実施例では、弾性支持部２２を一対の弾性アーム３１と接点ゴム１３とで構成したが、本発明では、図５に示すように、弾性支持部２２を一対の弾性アーム３１とゴム部材３６とで構成しても良い。なお、図５において、前述した実施例と同一部分には、同一符号を付して説明を省略する。
【００５２】
図５に示す例では、ＡＶ機器２は、押圧部材１９及び第２押圧部材３４の前述した印刷を光輝させるための導光部材３７を備えている。導光部材３７は、透明な合成樹脂で構成されており、印刷配線板１０に実装された光源としての図示しないＬＥＤ（Light Emitting Diode）の発する光を前述した印刷まで導いて、当該印刷を光輝させる。
【００５３】
本実施例では、挟持部材３０は、扁平な板状に形成されており、ゴム部材３６は、ゴムなどの弾性を有する合成樹脂で構成されかつ扁平な円盤状に形成されて導光部材３７と挟持部材３０との間に配置されている。さらに、本実施例では、前述した突起３２が導光部材３７から支点突起２９に向って凸の球面状に形成されている。
【００５４】
図５に示された場合においても、弾性支持部２２は、弾性アーム３１及びゴム部材３６が、前面パネル３ａとの間に支点突起２９を挟んだ挟持部材３０を前面パネル３ａに向って押圧する弾性復元力を生じる。この図５に示された場合においても、前述した実施例と同様に、前面パネル３ａ及び挟持部材３０との寸法精度が低い場合であっても、これらを成型する金型などを微調整する必要が生じない。よって、シーソーボタン１を製造するために必要とされるリードタイムや所要工数が増加することを防止でき、当該シーソーボタン１のコストが高騰することを防止することができる。
【００５５】
なお、前述した実施例は本発明の代表的な形態を示したに過ぎず、本発明は、実施例に限定されるものではない。即ち、本発明の骨子を逸脱しない範囲で種々変形して実施することができる。
【００５６】
前述した実施例によれば、以下のシーソーボタン１が得られる。
【００５７】
（付記）  機器本体３の前面パネル３ａに設けられて押圧操作される押圧部材１９と、
前記機器本体３内に設けられかつ前記押圧部材１９の両端部が重なる位置に設けられた一対のスイッチ２０と、を備えて、前記押圧部材１９の長手方向のいずれかの端部が押圧されると前記一対のスイッチ２０のいずれかの接点が閉じるシーソーボタン１において、
前記押圧部材１９の長手方向の中央部から凸となる支点突起２９と、
前記前面パネル３ａとの間に前記支点突起２９を挟む挟持部材３０と、
弾性変形自在でかつ前記挟持部材３０を前記前面パネル３ａに向って押圧する弾性復元力を生じる接点ゴム１３及び弾性アーム３１と、
を備えたことを特徴とするシーソーボタン１。
【００５８】
付記に記載のシーソーボタン１によれば、押圧部材１９の支点突起２９を前面パネル３ａとの間に挟む挟持部材３０を当該前面パネル３ａに向って押圧する弾性復元力を生じる弾性支持部材としての弾性アーム３１及び接点ゴム１３を設けている。このために、前面パネル３ａ及び挟持部材３０との寸法によっては、これらと支点突起２９との間にガタが生じたり、前面パネル３ａと挟持部材３０との間の間隔が支点突起２９よりも小さな場合であっても、弾性アーム３１及び接点ゴム１３の変形量が変化することで、前面パネル３ａと挟持部材３０との間にがたつくことなく支点突起２９を挟んで支持することができる。このために、前面パネル３ａ及び挟持部材３０との寸法精度が低い場合であっても、これらを成型する金型などを微調整する必要が生じない。よって、シーソーボタン１を製造するために必要とされるリードタイムや所要工数が増加することを防止でき、当該シーソーボタン１のコストが高騰することを防止することができる。
【符号の説明】
【００５９】
１  シーソーボタン
２  ＡＶ機器（電子機器）
３  機器本体
３ａ  前面パネル
１３  接点ゴム（弾性支持部材、ゴム部材）
１４  ホルダ
１９  押圧部材
２０  スイッチ
２９  支点突起
３０  挟持部材
３１  弾性アーム
３４  第２押圧部材
【図１】
2010211989.tif 000003
【図２】
2010211989.tif 000004
【図３】
2010211989.tif 000005
【図４】
2010211989.tif 000006
【図５】
2010211989.tif 000007